(57)【要約】【課題】障害者、介護者等がネットワークを介して相互に情報のやり取りを行うことができ、自己の障害に対してそれを克服するのに有効な最新情報を簡易且つ迅速に取得できるプラットフォームを実現する。【解決手段】サーバ装置１は、ユーザＩＤとユーザの属性情報とユーザの障害部位を特定する障害部位ＩＤとを対応付けて管理するユーザＤＢ１４と、ユーザやユーザにより投稿されたコンテンツを、障害部位ＩＤに基づいて障害の種類に応じてカテゴライズするカテゴライズ部１１ｆと、カテゴライズの結果に基づいて、おすすめユーザを選定し、ユーザにレコメンドするレコメンド部１１ｄとを備え、ユーザのマイページ、投稿ページを含む全ての公開ページには前記障害部位ＩＤに対応するアイコンを表示し、該アイコンにより各ユーザの障害部位を把握可能としている。【選択図】図２
2017204103.tif 000002
【特許請求の範囲】
【請求項１】
ユーザＩＤとユーザの属性情報とユーザの障害部位を特定する障害部位ＩＤとを対応付けて管理するユーザ記憶部と、
前記ユーザや前記ユーザにより投稿されたコンテンツを、前記障害部位ＩＤに基づいて障害の種類に応じてカテゴライズするカテゴライズ部と、
前記カテゴライズ部のカテゴライズの結果に基づいて、レコメント情報を選定し、ユーザにレコメンドするレコメンド部と、を備え、
前記ユーザのマイページ、投稿ページを含む全ての公開ページには前記障害部位ＩＤに対応するアイコンを表示し、該アイコンにより各ユーザの障害部位を把握可能とした
サーバ装置。
【請求項２】
複数ユーザで共有するコンテンツを記憶するオープンノート記憶部と、
前記ユーザにより共有対象に指定されたコンテンツを指定された分類に基づいて前記オープンノート記憶部に格納するオープンノート管理部を更に備えた
請求項１に記載のサーバ装置。
【請求項３】
前記アイコンとは、人の体を障害部位単位で区分けして示したものであり、ユーザ登録の際に特定された障害部位は他の部位と異なる色で表示されている
請求項１又は請求項２に記載のサーバ装置。
【請求項４】
ユーザの情報端末とサーバ装置とを有する障害者コミュニケーションシステムであって、
前記情報端末は、
前記サーバ装置と通信する第１通信部と、
前記サーバ装置が提供するＷｅｂページを閲覧する閲覧部と、
Ｗｅｂページを表示する表示部と、を備え、
前記サーバ装置は、
前記情報端末と通信する第２通信部と、
ユーザＩＤとユーザの属性情報とユーザの障害部位を特定する障害部位ＩＤとを対応付けて管理するユーザ記憶部と、
前記ユーザや前記ユーザにより投稿されたコンテンツを、前記障害部位ＩＤに基づいて障害の種類に応じてカテゴライズするカテゴライズ部と、
前記カテゴライズ部のカテゴライズの結果に基づいて、レコメンド情報を選定し、ユーザにレコメンドするレコメンド部と、を備え、
前記サーバ装置は、
前記情報端末の前記表示部に人の体を障害部位に区分けして示した障害部位選択画面を表示し、障害部位の選択をするように促し、前記情報端末において障害部位の特定がなされると障害部位ＩＤを付与し、
前記ユーザのマイページ、投稿ページを含む全ての公開ページには前記障害部位ＩＤに対応するアイコンを表示し、該アイコンにより各ユーザの障害部位を把握可能とした
障害者コミュニケーションシステム。
【請求項５】
ユーザの情報端末とサーバ装置とを有する障害者コミュニケーションシステムによる障害者コミュニケーション方法であって、
前記サーバ装置が、ユーザＩＤとユーザの属性情報とユーザの障害部位を特定する障害部位ＩＤとを対応付けて管理するステップと、
前記サーバ装置が、前記ユーザや前記ユーザにより投稿されたコンテンツを、前記障害部位ＩＤに基づいて障害の種類に応じてカテゴライズするステップと、
前記サーバ装置が、前記カテゴライズ部のカテゴライズの結果に基づいて、レコメンド情報を選定し、ユーザにレコメンドするステップと、
前記サーバ装置が、前記情報端末の前記表示部に人の体を障害部位に区分けして示した障害部位選択画面を表示し、障害部位の選択をするように促し、前記情報端末において障害部位の特定がなされると障害部位ＩＤを付与するステップと、
前記サーバ装置が、前記ユーザのマイページ、投稿ページを含む全ての公開ページには前記障害部位ＩＤに対応するアイコンを表示し、該アイコンにより各ユーザの障害部位を把握可能とするステップと、を有する
障害者コミュニケーション方法。
【発明の詳細な説明】
【技術分野】
【０００１】
本発明は、障害者、介護者、関連する事業者、及び企業等が障害に係る課題を共有し、その解決を図るためにコミュニケーションをとるためのプラットフォームを実現する障害者コミュニケーションシステム、障害者コミュニケーション方法、及びサーバ装置に関する。
【背景技術】
【０００２】
従来、情報通信技術の進展により、ソーシャルネットワーキングサービス（SNS；Social Networking Service）等も身近なものとなり、ユーザ同士がインターネット等のネットワークを介して情報のやり取りを行う環境が整っている。
【０００３】
そして、このような環境を利用するものとして、高齢者と障害者が相互に支援し合える社会を実現するための通信ネットワークを利用したシステムも提案されている（例えば特許文献１等参照）。
【先行技術文献】
【特許文献】
【０００４】
【特許文献１】特願２０１０−２４４０９１号公報
【発明の概要】
【発明が解決しようとする課題】
【０００５】
しかし、一般的なＳＮＳは、高齢者や障害者に対して特別な配慮をしておらず、障害者等が自己の障害と同等の障害を持つ人と簡易につながる環境は提供されていなかった。
【０００６】
しかるに、多くの障害者は、自己の障害を克服する努力をしており、その過程で独自のノウハウを多数見出しており、該ノウハウを同等の障害を持つ人と共有することができれば、社会全体における障害者の自立の加速化に寄与するので、そのようなプラットフォームの実現が嘱望されている。前述した特許文献１に開示の技術は、このようなニーズに対応するものではなかった。
【０００７】
本発明は、このような課題に鑑みてなされたものであり、その目的とするところは、障害者、介護者等がネットワークを介して相互に情報のやり取りを行うことができ、自己の障害に対してそれを克服するのに有効な最新情報を簡易且つ迅速に取得できるプラットフォームを実現する障害者コミュニケーションシステム、障害者コミュニケーション方法、及びサーバ装置を提供することを目的とする。
【課題を解決するための手段】
【０００８】
上記課題を解決するため、本発明の第１の態様に係るサーバ装置は、ユーザＩＤとユーザの属性情報とユーザの障害部位を特定する障害部位ＩＤとを対応付けて管理するユーザ記憶部と、前記ユーザや前記ユーザにより投稿されたコンテンツを、前記障害部位ＩＤに基づいて障害の種類に応じてカテゴライズするカテゴライズ部と、前記カテゴライズ部のカテゴライズの結果に基づいて、レコメンド情報を選定し、ユーザにレコメンドするレコメンド部と、を備え、前記ユーザのマイページ、投稿ページを含む全ての公開ページには前記障害部位ＩＤに対応するアイコンを表示し、該アイコンにより各ユーザの障害部位を把握可能とした。
【０００９】
本発明の第２の態様に係るサーバ装置は、第１の態様において、複数ユーザで共有するコンテンツを記憶するオープンノート記憶部と、前記ユーザにより共有対象に指定されたコンテンツを指定された分類に基づいて前記オープンノート記憶部に格納するオープンノート管理部を更に備えている。
【００１０】
本発明の第３の態様に係るサーバ装置は、第１又は第２の態様において、前記アイコンとは、人の体を障害部位単位で区分けして示したものであり、ユーザ登録の際に特定された障害部位は他の部位と異なる色で表示されている。
【００１１】
本発明の第４の態様に係る障害者コミュニケーションシステムは、ユーザの情報端末とサーバ装置とを有する障害者コミュニケーションシステムであって、前記情報端末は、前記サーバ装置と通信する第１通信部と、前記サーバ装置が提供するＷｅｂページを閲覧する閲覧部と、Ｗｅｂページを表示する表示部と、を備え、前記サーバ装置は、前記情報端末と通信する第２通信部と、ユーザＩＤとユーザの属性情報とユーザの障害部位を特定する障害部位ＩＤとを対応付けて管理するユーザ記憶部と、前記ユーザや前記ユーザにより投稿されたコンテンツを、前記障害部位ＩＤに基づいて障害の種類に応じてカテゴライズするカテゴライズ部と、前記カテゴライズ部のカテゴライズの結果に基づいて、レコメンド情報を選定し、ユーザにレコメンドするレコメンド部とを備え、前記サーバ装置は、前記情報端末の前記表示部に人の体を障害部位に区分けして示した障害部位選択画面を表示し、障害部位の選択をするように促し、前記情報端末において障害部位の特定がなされると障害部位ＩＤを付与し、前記ユーザのマイページ、投稿ページを含む全ての公開ページには前記障害部位ＩＤに対応するアイコンを表示し、該アイコンにより各ユーザの障害部位を把握可能とした。
【００１２】
本発明の第５の態様に係る障害者コミュニケーション方法は、ユーザの情報端末とサーバ装置とを有する障害者コミュニケーションシステムによる障害者コミュニケーション方法であって、前記サーバ装置が、ユーザＩＤとユーザの属性情報とユーザの障害部位を特定する障害部位ＩＤとを対応付けて管理するステップと、前記サーバ装置が、前記ユーザや前記ユーザにより投稿されたコンテンツを、前記障害部位ＩＤに基づいて障害の種類に応じてカテゴライズするステップと、前記サーバ装置が、前記カテゴライズ部のカテゴライズの結果に基づいて、レコメンド情報を選定し、ユーザにレコメンドするステップと、前記サーバ装置が、前記情報端末の前記表示部に人の体を障害部位に区分けして示した障害部位選択画面を表示し、障害部位の選択をするように促し、前記情報端末において障害部位の特定がなされると障害部位ＩＤを付与するステップと、前記サーバ装置が、前記ユーザのマイページ、投稿ページを含む全ての公開ページには前記障害部位ＩＤに対応するアイコンを表示し、該アイコンにより各ユーザの障害部位を把握可能とするステップとを有している。
【発明の効果】
【００１３】
本発明によれば、障害者、介護者、関連する事業者、及び企業等がネットワークを介して相互に情報のやり取りを行うことができ、自己の障害に対してそれを克服するのに有効な最新情報を簡易且つ迅速に取得できるプラットフォームを実現する障害者コミュニケーションシステム、障害者コミュニケーション方法、及びサーバ装置を提供することができる。
【図面の簡単な説明】
【００１４】
【図１】本発明の一実施形態に係る障害者コミュニケーションシステムの構成図である。
【図２】同システムにおけるサーバ装置の構成図である。
【図３】同システムにおける情報端末の構成図である。
【図４】同システムによりユーザ登録等の処理手順を示すフローチャートである。
【図５】属性情報設定入力処理の詳細な処理手順を示すフローチャートである。
【図６】障害部位の選択に係る入力画面の表示例を示す図である。
【図７】障害部位の選択に係る入力画面の表示例を示す図である。
【図８】障害部位の選択に係る入力画面の表示例を示す図である。
【図９】ユーザページの表示例を示す図である。
【図１０】オープンノート選択画面の表示例を示す図ある。
【発明を実施するための形態】
【００１５】
以下、図面を参照しつつ本発明の実施形態について説明する。
【００１６】
図１には本発明の一実施形態に係る障害者コミュニケーションシステムの構成を示し説明する。
【００１７】
同図に示されるように、障害者コミュニケーションシステムは、サーバ装置１と、ユーザの情報端末２ａ，２ｂ，２ｃ…（以下、符号２で総称）とが、インターネット等のネットワーク３を介して通信自在に接続されて構成されている。そして、サーバ装置１が提供するＷｅｂサイトが障害者や介護者等がつながるプラットフォームとなり、一般的なＳＮＳに比して、同じ障害を持つ者同士が繋がりやすくなり、自己が障害を克服する過程で得たノウハウ等をプラットフォーム上に蓄積し、共有しやすい環境が実現される。情報端末２としては、スマートフォン、タブレット端末、ノート型パソコン、デスクトップ型パソコンなど各種のものを採用することができる。
【００１８】
図２にはサーバ装置の構成を示し説明する。
【００１９】
同図に示されるように、サーバ装置１は、ＣＰＵ等の制御部１１を備えており、該制御部１１は、通信部１２及び記憶部１３と接続されている。通信部１２は、ネットワーク３を介してユーザの情報端末と通信する通信インタフェース（Ｉ／Ｆ）である。記憶部１３は、ＲＯＭ、ＲＡＭ、ＨＤＤ等で構成されており、制御部１１で実行されるプログラム１８も記憶している。さらに、記憶部１３は、ユーザデータベース（ＤＢ）１４、コンテンツＤＢ１５、オープンノートＤＢ１６を論理的に保有している。
【００２０】
ユーザＤＢ１４は、ユーザの属性情報等をテーブル形式で記憶している。コンテンツＤＢ１５は、ユーザからアップロードされたコンテンツ（例えば、テキストデータ、画像データ、音声データ等）を記憶している。そして、オープンノートＤＢ１６は、コンテンツＤＢ１５に格納されたコンテンツのうち、ユーザに共有対象として指定されたコンテンツを分類した上で記憶している。
【００２１】
このような構成において、制御部１１は、記憶部１３のプログラム１７を読み出し実行することで、ユーザ登録部１１ａ、検索部１１ｂ、コンテンツ登録部１１ｃ、レコメンド部１１ｄ、オープンノート管理部１１ｅ、カテゴライズ部１１ｆ、及び主制御部１１ｇとして機能する。
【００２２】
ユーザ登録部１１ａは、ユーザの情報端末２から送られてきたユーザの属性情報等をユーザＤＢ１４に格納する。検索部１１ｂは、情報端末２からの検索リクエストを受けて入力された検索キーワードに基づく検索等を実行する。コンテンツ登録部１１ｃは、情報端末２よりアップロードされたコンテンツをアップロードしたユーザのユーザＩＤと紐づけてコンテンツＤＢ１５に格納する。
【００２３】
レコメンド部１１ｄは、ユーザの障害部位に係る障害部位ＩＤに基づいて、おすすめユーザ、おすすめ企業、おすすめのサービス、およびおすすめの商品等のレコメンド情報を選定し、ユーザにレコメンドする。尚、レコメンド情報には、特許属性にマッチした情報（例えば、一般的なニュース等）も含まれる。オープンノート管理部１１ｅは、ユーザにより共有対象に指定されたコンテンツを指定された分類に基づいてオープンノートＤＢ１６に格納する。カテゴライズ部１１ｆは、ユーザやコンテンツを、例えば、障害部位ＩＤに基づいて、障害の種類に応じてカテゴライズする。以上のほか、主制御部１１ｇは、情報端末２へのＨＴＭＬデータの配信等、統括的な制御を司る。
【００２４】
図３には情報端末の構成を示し説明する。
【００２５】
同図に示されるように、情報端末２は、制御部２１を備えている。制御部２１は、通信部２２、操作部２３、表示部２４、及び記憶部２５と接続されている。通信部２２はネットワーク３を介してサーバ装置１等と通信する通信Ｉ／Ｆである。操作部２３と表示部２４はタッチパネルとして一体化されてもよい。記憶部２５は、ＲＡＭ、ＲＯＭ、ＨＤＤ等で構成されており、制御部２１で実行されるプログラム２６を記憶している。
【００２６】
このような構成において、制御部２１は、プログラム２６を実行することで、主制御部２１ａ、閲覧部２１ｂ、及び表示制御部２１ｃとして機能する。主制御部２１ａは、情報端末２の主要な制御を司る。閲覧部２１ｂは、所謂ブラウザ機能を実現する。表示制御部２１ｃは、表示部２４における表示を制御する。
【００２７】
以下、図４のフローチャートを参照して、コミュニケーションシステムによるユーザ登録等の処理手順を説明する。
【００２８】
情報端末２よりサーバ装置１が提供するＷｅｂサイトにアクセスがなされ（Ｓ１）、サーバ装置１がリクエストを受信すると（Ｓ２）、サーバ装置１は、ＨＴＭＬデータを情報端末２に送信する（Ｓ３）。情報端末２では、このＨＴＭＬデータを受信すると、表示制御部２１ｃの制御の下、表示部２４に画面表示を行う（Ｓ４）。
【００２９】
そして、この画面において、ユーザの属性情報等が入力され、ユーザ登録のリクエストがなされ（Ｓ５）、サーバ装置１がこのリクエストを受信すると（Ｓ６）、ユーザ登録部１１ａがユーザＩＤと紐づけてユーザの属性情報等をユーザＤＢ１４に記憶する（Ｓ７）。そして、主制御部１１ｇは、登録完了通知画面のＨＴＭＬデータを情報端末２に送信する（Ｓ８）。情報端末２では、この通知を受信すると、画面表示を行う（Ｓ９）。
【００３０】
続いて、情報端末では、詳細は後述する属性情報設定入力処理を実行し各種情報の入力を行い（Ｓ１０）、属性情報をサーバ装置１に送信する（Ｓ１１）。サーバ装置１では、更なる属性情報を受信すると（Ｓ１２）、ユーザＤＢ１４の登録内容を更新し（Ｓ１３）、こうして一連の処理を終了する。
【００３１】
次に、図５のフローチャートを参照して、属性情報設定入力処理の詳細な処理手順を説明する。ここでは、図６乃至図８の画面表示例を適宜参照する。尚、下記の登録項目は一例であって、登録項目の種類、入力の順序は下記には限定されない。
【００３２】
属性情報設定入力処理に入ると、先ず写真の選択を受け付け（Ｓ２１）、障害当事者分類の設定を受け付ける（Ｓ２２）。この例では、障害当事者分類は、障害当事者、介護者、従事者、及び企業団体の４つの分類の中から選択する。続いて、介護の要否の設定を受け付け（Ｓ２３）、障害部位の選択を受け付ける（Ｓ２４）。
【００３３】
図６には、障害部位の選択画面の表示例を示し説明する。同図に示されるように、情報端末１の表示部２４では、人の体を障害部位に区分した図が画面中央に表示され、自己の障害部位に相当する箇所をクリックすることで障害部位を選択するように促される。選択部位を何度かタップ（クリック）すると、障害段階が切り替わるようになっている。例えば、全般、疾患、まひ、切除、選択解除の順に切り替わるようにする。そして、例えば、模式図の中央の「内臓疾患」がクリックされると、図７に示されるような画面に遷移し、「全般疾患」、「心臓疾患」、「腸疾患」、「血液疾患」、「その他疾患」の中から疾患の細分類の選択が促される。複数の部位を障害部位として特定することもでき、その場合には上記手順を繰り返せばよいことになる。尚、この選択手順は一例であって、これには限定されないことは勿論である。
【００３４】
こうして障害部位が選択されると、図８に示されるような画面に遷移し、障害部位が表記され、その下の領域で、原因疾患、先天／後天、いつから、を更に設定入力するように促されることになる。こうして、障害部位が設定入力されると、模式図のイメージが定まり、以降、本サービスを受けるときには、自己の障害部位を特定する指標として、アイコン化されて随時表示される。
【００３５】
図５に戻り、情報端末２では、続いて、利き手の入力を受け付け（Ｓ２６）、相談の要否の入力を受け付け（Ｓ２７）、その他の基本情報の入力を受け付け（Ｓ２８）、公開の可否の設定を受け付け（Ｓ２９）、図４の処理にリターンする。
【００３６】
図９には、ユーザページの表示例を示し説明する。
【００３７】
同図に示されるように、ユーザのマイページ１００では、領域１０１にユーザのプロフィール写真１０１ａと、障害部位を指標するアイコン１０１ｂとが表示される。他のユーザはアイコン１０１ｂによりユーザの障害部位を一目で把握することができる。また、マイページ１００の領域１０２には、おすすめのアカウント一覧が表示される。ここでもおすすめのアカウントのユーザの各障害部位がアイコンで表示されるので、各ユーザの障害部位を一目で把握することができる。従って、同じ障害に対して克服しようと努力しているユーザを簡易且つ正確に特定することができ、友達申請することで、つながることも可能となる。これは、同じ障害部位を持つユーザ同士が情報交換できるプラットフォームを提供することに相当する。各ユーザは、障害部位ＩＤに基づいてカテゴライズ部１１ｆにより予めカテゴライズされており、レコメンド部１１ｄは、カテゴライズ部１１ｆによるカテゴライズの結果に基づいてユーザ同士の共通項を見出し、おすすめアカウントとして領域１０２に提示することになる。
【００３８】
図１０には、オープンノート選択画面の表示例を示し説明する。
【００３９】
同図に示されるように、他のユーザによる投稿ブロックやシェア又はいいね等がなされたページを閲覧部２１ｂの制御の下で閲覧し、該投稿等を同じ障害部位を持つユーザとして共有したいと所望したときには、該投稿ブロックを選択した後、図１０に示されるようなオープンノート選択画面１０３で該投稿のカテゴリを選択すればよい。すると、サーバ装置１側では、オープンノート管理部１１ｅが、該投稿ブロックとカテゴリとを紐づけて、オープンノートＤＢ１６に格納する。これ以降、オープンノート選択画面１０３で閲覧を所望するカテゴリを選択すれば、そのカテゴリについて蓄積され共有されている投稿ブロックを簡易に閲覧することができる。
【００４０】
以上説明したように、本発明の実施形態によれば、ユーザＩＤとユーザの属性情報とユーザの障害部位を特定する障害部位ＩＤとを対応付けて管理するユーザ記憶部としてのユーザＤＢ１４と、ユーザやユーザにより投稿されたコンテンツ等を、障害部位ＩＤに基づいて障害の種類に応じてカテゴライズするカテゴライズ部１１ｆと、カテゴライズ部１１ｆのカテゴライズの結果に基づいて、おすすめユーザを選定し、ユーザにレコメンドするレコメンド部１１ｄとを備え、ユーザのマイページ、投稿ページを含む全ての公開ページには障害部位ＩＤに対応するアイコンを表示し、該アイコンにより各ユーザの障害部位を把握可能としたサーバ装置が提供される。したがって、プラットフォーム上では、全てのユーザの障害部位を一目で確認することができるので、同じ障害に対して克服の努力をしているユーザ同士が簡易につながり、情報交換できるプラットフォームが実現されることになる。
【００４１】
ここで、複数ユーザで共有するコンテンツを記憶するオープンノート記憶部と、前記ユーザにより共有対象に指定されたコンテンツを指定された分類に基づいて前記オープンノ記憶部に格納するオープンノート管理部を更に備えてもよい。この場合、例えば、障害を克服したノウハウや障害部位特有の悩みなどが記述されたコンテンツを、プラットフォーム上に整理して蓄積し、共有可能とすることができる。
【００４２】
さらに、アイコンとは、人の体を障害部位単位で区分けして示したものであり、ユーザ登録の際に特定された障害部位は他の部位と異なる色で表示されてよい。この場合、一目して障害部位の特定、把握が可能となる。
【００４３】
さらに、本発明の実施形態によれば、ユーザの情報端末２とサーバ装置１とを有する障害者コミュニケーションシステムであって、情報端末２は、サーバ装置１と通信する第１通信部２２と、サーバ装置１が提供するＷｅｂページを閲覧する閲覧部２１ｂと、Ｗｅｂページを表示する表示部２４とを備え、サーバ装置１は、情報端末２と通信する第２通信部１２と、ユーザＩＤとユーザの属性情報とユーザの障害部位を特定する障害部位ＩＤとを対応付けて管理するユーザ記憶部としてのユーザＤＢ１４と、ユーザやユーザにより投稿されたコンテンツを障害部位ＩＤに基づいて障害の種類に応じてカテゴライズするカテゴライズ部１１ｆと、カテゴライズ部１１ｆのカテゴライズの結果に基づいて、おすすめユーザを選定し、ユーザにレコメンドするレコメンド部１１ｄとを備え、サーバ装置１は情報端末２の表示部２４に人の体を障害部位に区分けして示した障害部位選択画面を表示し、障害部位の選択をするように促し、情報端末２において障害部位の特定がなされると障害部位ＩＤを付与し、ユーザのマイページ、投稿ページを含む全ての公開ページには前記障害部位ＩＤに対応するアイコンを表示し、該アイコンにより各ユーザの障害部位を把握可能とした障害者コミュニケーションシステムが提供される。したがって、プラットフォーム上では、全てのユーザの障害部位を一目で確認することができるので、同じ障害に対して克服の努力をしているユーザ同士が簡易につながり、情報交換できるプラットフォームが実現されることになる。
【００４４】
そして、本発明の実施形態によれば、ユーザの情報端末２とサーバ装置１とを有する障害者コミュニケーションシステムによる障害者コミュニケーション方法であって、サーバ装置１が、ユーザＩＤとユーザの属性情報とユーザの障害部位を特定する障害部位ＩＤとを対応付けて管理するステップと、サーバ装置１が、ユーザやユーザにより投稿されたコンテンツを障害部位ＩＤに基づいて障害の種類に応じてカテゴライズするステップと、サーバ装置１が、カテゴライズ部のカテゴライズの結果に基づいておすすめユーザを選定しユーザにレコメンドするステップと、サーバ装置１が、情報端末２の表示部２４に人の体を障害部位に区分けして示した障害部位選択画面を表示し障害部位の選択をするように促し情報端末２において障害部位の特定がなされると障害部位ＩＤを付与するステップと、サーバ装置１が、ユーザのマイページ、投稿ページを含む全ての公開ページには前記障害部位ＩＤに対応するアイコンを表示し該アイコンにより各ユーザの障害部位を把握可能とするステップとを有する障害者コミュニケーション方法が提供される。従って、プラットフォーム上では、全てのユーザの障害部位を一目で確認することができるので、同じ障害に対して克服の努力をしているユーザ同士が簡易につながり、情報交換できるプラットフォームが実現されることになる。
【００４５】
以上、本発明の一実施形態について説明したが、本発明はこれに限定されることなくその趣旨を逸脱しない範囲で種々の改良・変更が可能であることは勿論である。
【符号の説明】
【００４６】
１…サーバ装置、２…情報端末、３…ネットワーク、１１…制御部、１１ａ…ユーザ登録部、１１ｂ…検索部、１１ｃ…コンテンツ登録部、１１ｄ…レコメンド部、１１ｅ…オープンノート管理部、１１ｆ…カテゴライズ部、１１ｇ…主制御部、１２…通信部、１３…記憶部、１４…ユーザＤＢ、１５…コンテンツＤＢ、１６…オープンノートＤＢ、２１…制御部、２１ａ…主制御部、２１ｂ…閲覧部、２１ｃ…表示制御部、２２…通信部、２３…操作部、２４…表示部、２５…記憶部。
【図１】
2017204103.tif 000003
【図２】
2017204103.tif 000004
【図３】
2017204103.tif 000005
【図４】
2017204103.tif 000006
【図５】
2017204103.tif 000007
【図６】
2017204103.tif 000008
【図７】
2017204103.tif 000009
【図８】
2017204103.tif 000010
【図９】
2017204103.tif 000011
【図１０】
2017204103.tif 000012